(57)【要約】【課題】本発明は、鼻腔内生体組織採取具に関するもので、検出物に対する検出精度のバラツキを抑制することを目的とするものである。【解決手段】そしてこの目的を達成するために、本発明の鼻腔内生体組織採取具６は、基体７と、この基体７を鼻鏡１に装着する装着部８と、前記基体７に可動自在に取り付けられると共に、先端部に鼻腔内生体組織採取部９、中部または後端部に操作部１０を有する採取体１１とを備えた構成としたものであるので、検出物に対する検出精度のバラツキを抑制することができる。【選択図】図１
2013142646.tif 000002
【特許請求の範囲】
【請求項１】
基体と、この基体を鼻鏡に装着する装着部と、前記基体に可動自在に取り付けられると共に、先端部に鼻腔内生体組織採取部、中部または後端部に操作部を有する採取体とを備えた鼻腔内生体組織採取具。
【請求項２】
基体の先端側に、装着部を設けた請求項１に記載の鼻腔内生体組織採取具。
【請求項３】
装着部は、基体に対して所定間隔離して対向させた挟持片により構成し、この挟持片の先端側には基体側に突出する突起を設け、この挟持片の後端側は、基体に一体化した請求項２に記載の鼻腔内生体組織採取具。
【請求項４】
基体は板状とし、その上面に採取体を可動自在に取り付けた請求項１から３のいずれか一つに記載の鼻腔内生体組織採取具。
【請求項５】
採取体は、基体の上面に装着された採取体本体と、この採取体本体に対して、可動自在に配置された可動体とにより構成し、この可動体の先端部に鼻腔内生体組織採取部、中部または後端部に操作部を設けた請求項１から４のいずれか一つに記載の鼻腔内生体組織採取具。
【請求項６】
採取体本体の先端部または中部に、基体に対して水平方向に回動する回動軸部を設けるとともに、この採取体本体の後端部には、基体による被回動抑制部を設けた、請求項５に記載の鼻腔内生体組織採取具。
【請求項７】
基体の後端部で、採取体本体の下面に対向する部分には、被回動抑制部が係合する回動抑制部を設け、前記採取体本体の上面に対向する部分には、この採取体本体の垂直方向の移動を抑制するガードを設けた請求項６に記載の鼻腔内生体組織採取具。
【請求項８】
採取体本体には、可動体を前後方向に滑動させる案内溝を設けた請求項５から７のいずれか一つに記載の鼻腔内生体組織採取具。
【発明の詳細な説明】
【技術分野】
【０００１】
本発明は、生体組織採取具とそれを用いた生体組織採取方法に関するものである。
【背景技術】
【０００２】
生体組織採取具として一般的に用いられているものとしては、めん棒が存在する。例えば、このめん棒によって、鼻腔内の粘膜を採取し、インフルエンザの検査キットによりインフルエンザの簡易検査が行われている（例えば、下記特許文献１）。
【先行技術文献】
【特許文献】
【０００３】
【特許文献１】特開２００１−２８９８４４号公報
【発明の概要】
【発明が解決しようとする課題】
【０００４】
前記従来例における課題は、鼻腔内生体組織を定量採取することが難しいということであった。
【０００５】
すなわち、めん棒は綿を固めて球状にしたものであって、例えば、鼻腔内の粘膜を採取するときには、それを鼻腔内生体組織に擦り付けることになるのであるが、この作業中には鼻腔内生体組織に対するめん棒の当接状態を確認することができないので、毎回採取する鼻腔内生体組織量がばらついてしまう。そして、このように採取する鼻腔内生体組織の量がばらつくと、採取した鼻腔内生体組織中に存在する検出物の量もばらつくものとなり、その結果として、検出精度のバラツキが発生してしまう。
【０００６】
そこで、本発明は、検出物に対する検出精度のバラツキを抑制することを目的とするものである。
【課題を解決するための手段】
【０００７】
そして、この目的を達成するために本発明の鼻腔内生体組織採取具は、基体と、この基体を鼻鏡に装着する装着部と、前記基体に可動自在に取り付けられると共に、先端部に鼻腔内生体組織採取部、中部または後端部に操作部を有する採取体とを備えた構成とし、これにより所期の目的を達成するものである。
【発明の効果】
【０００８】
以上のように本発明の鼻腔内生体組織採取具は、基体と、この基体を鼻鏡に装着する装着部と、前記基体に可動自在に取り付けられると共に、先端部に鼻腔内生体組織採取部、中部または後端部に操作部を有する採取体とを備えた構成としたものであるので、検出物に対する検出精度のバラツキを抑制することができる。
【０００９】
すなわち、本発明の鼻腔内生体組織採取具は、その基体に、鼻鏡に装着する装着部を設けたものであるので、鼻鏡によって鼻腔内を広げ、その部分を目視できる状態とし、この状態で採取体の鼻腔内生体組織採取部を鼻腔内生体組織に当接させて、この鼻腔内生体組織の一部を採取することが出来る。
【００１０】
したがって、採取した鼻腔内生体組織の量もほぼ一定のものとなるので、検出物に対する検出精度のバラツキを抑制することができる。
【図面の簡単な説明】
【００１１】
【図１】本発明の実施の形態１における鼻腔内生体組織採取具を鼻鏡に装着した状態を        示す斜視図
【図２】同鼻鏡の斜視図
【図３】同鼻腔内生体組織採取具の斜視図
【図４】同鼻腔内生体組織採取具の基体の斜視図
【図５】同鼻腔内生体組織採取具の採取体の斜視図
【発明を実施するための形態】
【００１２】
以下に、本発明の実施の形態を図面とともに詳細に説明する。
【００１３】
（実施の形態１）
図１において、１は鼻鏡で、この鼻鏡１は、図２に示すごとく、中央部に軸２を有し、一端側は左右にバネ３によって開かれた握り手部分４となっている。また、この鼻鏡１の他端側は、鼻穴から鼻腔内に挿入する為の挿入部５となっており、握り手部分４を握っていない状態では、この挿入部５は閉じた状態となる。つまり、図２は、鼻穴に挿入部５を挿入したのちに、握り手部分４を握ることでこの挿入部５を左右に広げこれにより鼻腔内の生体組織を目視し易くした状態である（鼻穴および鼻腔内は図示せず）。
【００１４】
本実施形態において、特徴的なのは、この鼻鏡１に図３に示す鼻腔内生体組織採取具６を図１に示すごとく装着したことである。
【００１５】
すなわち、本実施形態の鼻腔内生体組織採取具６は、図４に示す板状の基体７と、この基体７を鼻鏡１に装着する装着部８と、前記基体７の上面に可動自在に取り付けられると共に、図３、図５に示す先端部に鼻腔内生体組織採取部９、中部（または後端部）に操作部１０を有する採取体１１とを備えた構成となっている。
【００１６】
装着部８は、基体７の先端側に一体に設けられたもので、基体７に対して所定間隔離して対向させた挟持片１１ａにより構成し、この挟持片１１ａの先端側には基体７側に突出する突起１２を設け、この挟持片１１ａの後端側は、基体７に一体化されている。
【００１７】
また、採取体１１は、基体７の上面に装着された細長い板状の採取体本体１３と、この採取体本体１３に対して、可動自在に配置された可動体１４とにより構成し、この可動体１４の先端部に上述した鼻腔内生体組織採取部９、後端部（または中部）に上述した操作部１０を設けている。
【００１８】
つまり、採取体本体１３には、可動体１４を前後方向に滑動させる案内溝１５を設けているので、操作部１０を案内溝１５に沿って前後に操作すれば、鼻腔内生体組織採取部９も前後に可動するようになっている。
【００１９】
また、採取体本体１３の先端部または中部の下面側には、図５に示すごとく、基体７に対して水平方向に回動する突起状の回動軸部１６を設けており、更にそれに対応する基体７の上面には前記回動軸部１６が嵌合する凹部（図示せず）が設けられている。
また、採取体本体１３の後端部には、基体７による被回動抑制部（図示せず）を設けている。つまり、基体７の後端部で、採取体本体１３の下面に対向する部分には、被回動抑制部が係合する突起状の回動抑制部１７を設けている。
【００２０】
このため、採取体本体１３は、回動軸部１６を中心に回動させ、この回動位置で回動抑制部１７と上記被回動抑制部（図示せず）の係合により、回動規制が行われるようになっている。
【００２１】
また、前記採取体本体１３の上面に対向する部分には、この採取体本体１３の垂直方向の移動を抑制するガード１８が設けられ、このガード１８は基体７に固定されている。
【００２２】
上記構成において、医療従事者は、鼻腔内の生体組織を採取するときには、図３に示した鼻腔内生体組織採取具６を、図２に示した鼻鏡１の挿入部５に、図１のごとく装着する。
【００２３】
具体的には、図１に示すごとく、挿入部５を左右に広げた状態で、挿入部５内に採取体１１を配置し、装着部８で挿入部５を挟持した状態とする。その後、医療従事者は、鼻鏡１の握り手部分４を握る力を弱めて左右の挿入部５を閉じる。そして、この状態で、挿入部５を鼻穴内に挿入し、握り手部分４を握ることで、左右の挿入部５を広げ、これにより鼻腔内を目視できる状態とする。このとき、握り手部分４を握っているのは片手であって、空いている他の手で、採取体１１の後端側を左右に移動させることで、鼻腔内生体組織採取部９を鼻腔内生体組織に当接させる。そして、この状態で操作部１０を後方に引けば、鼻腔内生体組織採取部９は鼻腔内生体組織に当接した状態で所定寸法後方に操作される。つまり、鼻腔内生体組織は、鼻腔内生体組織採取部９の後方操作寸法分だけ採取されることになる。このため、毎回の鼻腔内生体組織の採取量はほぼ一定となるので、この採取した鼻腔内生体組織中における検出物質の検出精度が高いものとなる。
【００２４】
なお、本実施形態においては、鼻腔内生体組織採取部９を図１、図３から理解されるように、鼻腔内生体組織側に折り曲げられているので、これが後方に移動させられれば鼻腔内生体組織を掻き取ることとなる。
【００２５】
また、本実施形態では、鼻腔内生体組織中におけるアミロイドベータの量を検出することで、例えば、アルツハイマーの進行度合いを検査しようとしている。なお、この検査に関しては、すでに学会（国際アルツハイマー病学会議）で報告された事項であるので、詳細な記載は省略する。
【産業上の利用可能性】
【００２６】
すなわち、本発明の鼻腔内生体組織採取具は、その基体に、鼻鏡に装着する装着部を設けたものであるので、鼻鏡によって鼻腔内を広げ、その部分を目視できる状態とし、この状態で採取体の鼻腔内生体組織採取部を鼻腔内生体組織に当接させて、この鼻腔内生体組織の一部を採取することが出来る。
【００２７】
したがって、採取した鼻腔内生体組織の量もほぼ一定のものとなるので、検出物に対する検出精度のバラツキを抑制することができる。
【００２８】
したがって、鼻腔内生体組織採取具として極めて有用なものとなる。
【符号の説明】
【００２９】
１  鼻鏡
２  軸
３  バネ
４  握り手部分
５  挿入部
６  鼻腔内生体組織採取具
７  基体
８  装着部
９  鼻腔内生体組織採取部
１０  操作部
１１  採取体
１１ａ  挟持片
１２  突起
１３  採取体本体
１４  可動体
１５  案内溝
１６  回動軸部
１７  回動抑制部
１８  ガード
【図１】
2013142646.tif 000003
【図２】
2013142646.tif 000004
【図３】
2013142646.tif 000005
【図４】
2013142646.tif 000006
【図５】
2013142646.tif 000007